Podtech/llm-jp-corpus-v4-ja_patent huggingface dataset:
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
第１可変表示を行う第１可変表示手段と、第２可変表示を行う第２可変表示手段と、遊技媒体が進入可能な特定領域が内部に設けられ所定状態において遊技媒体が進入可能な状態に制御可能な可変入賞手段とを備え、少なくとも前記第１可変表示手段の表示結果が第１特定表示結果となったときに、遊技者にとって有利な第１有利状態に制御可能であるとともに、前記第２可変表示手段における表示結果が第２特定表示結果となったときに前記所定状態に制御され、前記特定領域に遊技媒体が進入したことに基づいて遊技者にとって有利な第２有利状態に制御可能な遊技機であって、
前記第２可変表示手段による第２可変表示に関する情報を保留記憶情報として所定上限数まで記憶可能な保留記憶手段と、
前記第１有利状態および前記第２有利状態が終了したことに基づいて、所定回数、前記第２可変表示が通常状態よりも実行されやすい時短状態に制御可能な時短制御手段と、
前記時短制御手段によって前記時短状態に制御されている間に前記保留記憶手段へ保留記憶情報を前記所定上限数まで記憶させることを促す促進報知を実行する促進報知手段と、を備え、
前記促進報知手段は、
第１態様と、前記第１態様よりも遊技者の認識度合の低い第２態様と、前記第１態様よりも遊技者の認識度合の高い第３態様と、のいずれかで前記促進報知を実行可能であり、
前記第１態様の後に前記第２態様で前記促進報知を実行しているときに、前記保留記憶手段へ記憶されている保留記憶情報の数が前記所定上限数に達していない場合に、前記第３態様で前記促進報知を実行する、遊技機。
【手続補正２】
【補正対象書類名】明細書
【補正対象項目名】０００７
【補正方法】変更
【補正の内容】
【０００７】
手段Ａの遊技機は、第１可変表示を行う第１可変表示手段と、第２可変表示を行う第２可変表示手段と、遊技媒体が進入可能な特定領域が内部に設けられ所定状態において遊技媒体が進入可能な状態に制御可能な可変入賞手段とを備え、少なくとも前記第１可変表示手段の表示結果が第１特定表示結果となったときに、遊技者にとって有利な第１有利状態に制御可能であるとともに、前記第２可変表示手段における表示結果が第２特定表示結果となったときに前記所定状態に制御され、前記特定領域に遊技媒体が進入したことに基づいて遊技者にとって有利な第２有利状態に制御可能な遊技機であって、
前記第２可変表示手段による第２可変表示に関する情報を保留記憶情報として所定上限数まで記憶可能な保留記憶手段と、
前記第１有利状態および前記第２有利状態が終了したことに基づいて、所定回数、前記第２可変表示が通常状態よりも実行されやすい時短状態に制御可能な時短制御手段と、
前記時短制御手段によって前記時短状態に制御されている間に前記保留記憶手段へ保留記憶情報を前記所定上限数まで記憶させることを促す促進報知を実行する促進報知手段と、を備え、
前記促進報知手段は、
第１態様と、前記第１態様よりも遊技者の認識度合の低い第２態様と、前記第１態様よりも遊技者の認識度合の高い第３態様と、のいずれかで前記促進報知を実行可能であり、
前記第１態様の後に前記第２態様で前記促進報知を実行しているときに、前記保留記憶手段へ記憶されている保留記憶情報の数が前記所定上限数に達していない場合に、前記第３態様で前記促進報知を実行する、
ことを特徴とする。
さらに、前記課題を解決するために、本発明の手段１の遊技機は、第１可変表示（たとえば、第１特別図柄の可変表示）を行う第１可変表示手段（たとえば、第１特別図柄表示器８ａ）と、第２可変表示（たとえば、第２特別図柄の可変表示）を行う第２可変表示手段（たとえば、第２特別図柄表示器８ｂ）と、遊技媒体（たとえば、遊技球）が進入可能な特定領域（たとえば、Ｖ入賞領域８７０）が内部に設けられ所定状態（たとえば、小当り遊技状態）において遊技媒体が進入可能な状態に制御可能な可変入賞手段（たとえば、Ｖ判定入賞装置８７）とを備え、少なくとも前記第１可変表示手段の表示結果が第１特定表示結果（たとえば、大当り表示結果）となったときに、遊技者にとって有利な第１有利状態（たとえば、特別図柄による大当り遊技状態）に制御可能であるとともに、前記第２可変表示手段における表示結果が第２特定表示結果（たとえば、小当り表示結果）となったときに前記所定状態に制御され、前記特定領域に遊技媒体が進入したことに基づいて遊技者にとって有利な第２有利状態（たとえば、小当り経由の大当り遊技状態）に制御可能な遊技機（たとえば、パチンコ遊技機１）であって、
前記第２可変表示手段による第２可変表示に関する情報を保留記憶情報（たとえば、留記憶）として所定上限数（たとえば、４つ）まで記憶可能な保留記憶手段（たとえば、遊技制御用マイクロコンピュータ５６０、ＲＡＭ５５、第２保留記憶バッファ）と、
前記第１有利状態および前記第２有利状態が終了したことに基づいて、所定回数（たとえば、時短状態の可変表示の回数）、前記第２可変表示が通常状態よりも実行されやすい時短状態に制御可能な時短制御手段（たとえば、遊技制御用マイクロコンピュータ５６０、図１４のステップＳ１６３〜Ｓ１７０）と、
前記時短制御手段によって前記時短状態に制御されている間に前記保留記憶手段に保留記憶情報を前記所定上限数まで記憶させることを促す促進報知（たとえば、図２０−２，図２０−４，図２０−６で示す第２始動入賞口１５への入賞を促す促進画像２８３Ｆ９６Ａ，２８３Ｆ９６Ｂ，２８３Ｆ９７Ａ，２８３Ｆ９７Ｂ）を実行する促進報知手段（たとえば、演出制御用マイクロコンピュータ１００）とを備え、
前記促進報知手段は、
第１態様（たとえば、図２０−１のステップ２８３ＦＳ１１３，ステップ２８３ＦＳ１１５、図２０−２の促進画像２８３Ｆ９６Ａ，２８３Ｆ９６Ｂで示すような、画面全体に「狙え」画像を表示する態様）と、前記第１態様よりも遊技者の認識度合の低い第２態様（たとえば、図２０−１のステップ２８３ＦＳ１１７、図２０−２の促進画像２８３Ｆ９７Ａ，２８３Ｆ９７Ｂで示すような、画面端に「狙え」画像を表示する態様）とのいずれかで前記促進報知を実行可能であり、
前記第１態様の後に前記第２態様で前記促進報知を実行しているときに、前記保留記憶手段に記憶されている保留記憶情報の数が前記所定上限数に達していない場合に、再度、前記第１態様で前記促進報知を実行する（たとえば、図２０−１のステップ２８３ＦＳ１１４，ステップ２８３ＦＳ１１５、図２０−２（Ｄ）で示すように、画面全体に表示する促進画像２８３Ｆ９７Ｂを、再度、表示する）。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
遊技を実行可能な遊技機であって、
予告演出を実行可能な予告演出手段と、
可変表示に対応する特定表示を行う特定表示手段と、を備え、
前記特定表示の表示態様は、通常態様と、該通常態様とは異なる所定態様と、該通常態様および該所定態様とは異なる特定態様と、を含み、
前記特定表示の表示態様が前記所定態様である場合よりも、前記特定表示の表示態様が前記特定態様である場合の方が、遊技者にとって有利な有利状態に制御される期待度が高く、
前記特定表示の表示態様を変化させるパターンとして、第１パターンと、該第１パターンとは異なる第２パターンと、があり、
前記第１パターンは、変化後の表示態様の特定表示と共通する共通演出要素が用いられている予告演出の実行が一旦停止し、該予告演出に対応する所定表示と、前記通常態様の特定表示と、の双方が拡大して並べて表示され、該共通演出要素を該所定表示から該特定表示へと移行させる態様により、該特定表示の表示態様を変化させるパターンであり、
前記第１パターンを実行するときに、前記共通演出要素を移行させている旨を示唆する示唆表示を行い、
前記特定表示の表示態様を前記通常態様から前記所定態様に変化させる場合に、前記第１パターンは実行されず、前記第２パターンは実行可能であり、
前記特定表示の表示態様を前記通常態様から前記特定態様に変化させる場合に、前記第１パターンおよび前記第２パターンのいずれも実行可能である、
ことを特徴とする遊技機。
【手続補正２】
【補正対象書類名】明細書
【補正対象項目名】０００６
【補正方法】変更
【補正の内容】
【０００６】
手段Ａの遊技機は、可変表示を実行可能な遊技機であって、遊技を実行可能な遊技機であって、
予告演出を実行可能な予告演出手段と、
可変表示に対応する特定表示を行う特定表示手段と、を備え、
前記特定表示の表示態様は、通常態様と、該通常態様とは異なる所定態様と、該通常態様および該所定態様とは異なる特定態様と、を含み、
前記特定表示の表示態様が前記所定態様である場合よりも、前記特定表示の表示態様が前記特定態様である場合の方が、遊技者にとって有利な有利状態に制御される期待度が高く、
前記特定表示の表示態様を変化させるパターンとして、第１パターンと、該第１パターンとは異なる第２パターンと、があり、
前記第１パターンは、変化後の表示態様の特定表示と共通する共通演出要素が用いられている予告演出の実行が一旦停止し、該予告演出に対応する所定表示と、前記通常態様の特定表示と、の双方が拡大して並べて表示され、該共通演出要素を該所定表示から該特定表示へと移行させる態様により、該特定表示の表示態様を変化させるパターンであり、
前記第１パターンを実行するときに、前記共通演出要素を移行させている旨を示唆する示唆表示を行い、
前記特定表示の表示態様を前記通常態様から前記所定態様に変化させる場合に、前記第１パターンは実行されず、前記第２パターンは実行可能であり、
前記特定表示の表示態様を前記通常態様から前記特定態様に変化させる場合に、前記第１パターンおよび前記第２パターンのいずれも実行可能である、
ことを特徴とする。
さらに、前記課題を解決するために、本発明の手段１の遊技機は、遊技を実行可能な遊技機（例えばパチンコ遊技機１など）であって、予告種別が異なる複数の予告演出（例えばステップアップ予告や保留表示予告、アクティブ表示予告など）を実行可能な予告演出手段（例えばステップ１２６ＡＫＳ０３３、１２６ＡＫＳ０３９の処理を実行する演出制御用ＣＰＵ１２０など）と、前記予告演出に関する特殊示唆演出を実行可能な特殊示唆演出手段（例えばステップ１２６ＡＫＳ０３５を実行する演出制御用ＣＰＵ１２０など）とを備え、前記予告演出手段は、前記予告種別のうち第１予告種別の第１予告演出（例えばステップアップ予告など）を、前記予告種別のうち第２予告種別の第２予告演出（例えば保留表示予告やアクティブ表示予告など）と共通の特定演出要素（例えば表示色が赤色または金色など）を用いて実行可能であり、前記特殊示唆演出手段は、前記特殊示唆演出として、前記特定演出要素を用いて前記第１予告演出が実行された場合に、該特定演出要素を用いて前記第２予告演出が実行されることを、遊技者に認識容易な演出態様により示唆可能である（例えば表示例１２６ＡＫＸ１を参照）。
このような構成によれば、適切な演出を実行することで遊技興趣を向上させることができる。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
遊技を実行可能な遊技機であって、
予告演出を実行可能な予告演出手段と、
特殊示唆演出を実行可能な特殊示唆演出手段と、
可変表示が開始されてから一旦仮停止させた後に可変表示を再度実行する再可変表示を実行可能な再可変表示実行手段と、を備え、
前記予告演出手段は、第１予告演出と、第２予告演出と、を共通する共通演出要素を用いて実行可能であり、
前記特殊示唆演出手段は、第１特殊示唆演出と、第２特殊示唆演出と、を実行可能であり、
前記第１特殊示唆演出は、既に実行された前記再可変表示に対応する第１対応表示と、後に実行される前記再可変表示に対応する第２対応表示と、の双方が並べて表示され、該第１対応表示の表示態様を該第２対応表示へと移行させる態様により、前記再可変表示が再度実行されることを示唆する演出であり、
前記第２特殊示唆演出は、前記共通演出要素が用いられている前記第１予告演出を一旦停止し、前記第１予告演出に対応する第１表示と、前記共通演出要素が用いられていない前記第２予告演出に対応する第２表示と、の双方が並べて表示され、前記共通演出要素を前記第１表示から前記第２表示へと移行させる態様により、前記第２表示を前記共通演出要素が用いられている前記第２予告演出に対応する表示に変化させる演出であり、
前記再可変表示実行手段は、前記第１特殊示唆演出が実行されない第１パターンで前記再可変表示を実行する場合と、前記第１特殊示唆演出が実行される第２パターンで前記再可変表示を実行する場合と、があり、
前記第１パターンで前記再可変表示が実行される場合よりも、前記第２パターンで前記再可変表示が実行される場合の方が、遊技者にとって有利な有利状態に制御される期待度が高く、
前記第１特殊示唆演出と前記第２特殊示唆演出とのいずれが実行されたかに応じて、前記有利状態に制御される期待度が異なる、
ことを特徴とする遊技機。
【手続補正２】
【補正対象書類名】明細書
【補正対象項目名】０００６
【補正方法】変更
【補正の内容】
【０００６】
手段Ａの遊技機は、可変表示を実行可能な遊技機であって、遊技を実行可能な遊技機であって、
予告演出を実行可能な予告演出手段と、
特殊示唆演出を実行可能な特殊示唆演出手段と、
可変表示が開始されてから一旦仮停止させた後に可変表示を再度実行する再可変表示を実行可能な再可変表示実行手段と、を備え、
前記予告演出手段は、第１予告演出と、第２予告演出と、を共通する共通演出要素を用いて実行可能であり、
前記特殊示唆演出手段は、第１特殊示唆演出と、第２特殊示唆演出と、を実行可能であり、
前記第１特殊示唆演出は、既に実行された前記再可変表示に対応する第１対応表示と、後に実行される前記再可変表示に対応する第２対応表示と、の双方が並べて表示され、該第１対応表示の表示態様を該第２対応表示へと移行させる態様により、前記再可変表示が再度実行されることを示唆する演出であり、
前記第２特殊示唆演出は、前記共通演出要素が用いられている前記第１予告演出を一旦停止し、前記第１予告演出に対応する第１表示と、前記共通演出要素が用いられていない前記第２予告演出に対応する第２表示と、の双方が並べて表示され、前記共通演出要素を前記第１表示から前記第２表示へと移行させる態様により、前記第２表示を前記共通演出要素が用いられている前記第２予告演出に対応する表示に変化させる演出であり、
前記再可変表示実行手段は、前記第１特殊示唆演出が実行されない第１パターンで前記再可変表示を実行する場合と、前記第１特殊示唆演出が実行される第２パターンで前記再可変表示を実行する場合と、があり、
前記第１パターンで前記再可変表示が実行される場合よりも、前記第２パターンで前記再可変表示が実行される場合の方が、遊技者にとって有利な有利状態に制御される期待度が高く、
前記第１特殊示唆演出と前記第２特殊示唆演出とのいずれが実行されたかに応じて、前記有利状態に制御される期待度が異なる、
ことを特徴とする。
さらに、（１）上記目的を達成するため、本願発明に係る遊技機は、遊技を実行可能な遊技機（例えばパチンコ遊技機１など）であって、予告種別が異なる複数の予告演出（例えばステップアップ予告や保留表示予告、アクティブ表示予告など）を実行可能な予告演出手段（例えばステップ１２６ＡＫＳ０３３、１２６ＡＫＳ０３９を実行する演出制御用ＣＰＵ１２０など）と、前記予告演出に関する特殊示唆演出を実行可能な特殊示唆演出手段（例えばステップ１２６ＡＫＳ０３５、１２６ＡＫＳ０３７を実行する演出制御用ＣＰＵ１２０など）とを備え、前記予告演出手段は、前記予告種別のうち第１予告種別の第１予告演出（例えばステップアップ予告など）を、前記予告種別のうち第２予告種別の第２予告演出（例えば保留表示予告やアクティブ表示予告など）と共通の特定演出要素（例えば表示色が赤色または金色など）を用いて実行可能であり、前記特殊示唆演出手段は、前記特殊示唆演出として、前記予告演出が実行された場合に、当該予告演出が再度実行されることを示唆可能（例えば表示例１２６ＡＫＸ２を参照）な第１示唆演出（例えば擬似連転写演出など）を実行する第１示唆演出手段（例えばステップ１２６ＡＫＳ０３７を実行する演出制御用ＣＰＵ１２０など）と、前記特殊示唆演出として、前記特定演出要素を用いて前記第１予告演出が実行された場合に、該特定演出要素を用いて前記第２予告演出が実行されることを示唆可能（例えば表示例１２６ＡＫＸ１を参照）な第２示唆演出（例えば要素転写演出など）を実行する第２示唆演出手段（例えばステップ１２６ＡＫＳ０３５を実行する演出制御用ＣＰＵ１２０など）とを含み、前記第１示唆演出と前記第２示唆演出とのいずれが実行されたかに応じて、遊技者にとって有利な有利状態に制御される期待度が異なる（例えば変動パターン決定テーブル１２６ＡＫＴ０１〜１２６ＡＫＴ０３および最終表示画像決定テーブル１２６ＡＫＴ１１を参照）。
このような構成によれば、適切な演出を実行することで遊技興趣を向上させることができる。
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
測定位置に向けて光を射出する光源と、前記測定位置にある生体からの反射光、又は、前記測定位置にある生体を透過した透過光を波長に応じて分光する分光手段と、複数の画素を有し、前記複数の画素の各画素は、前記分光手段が分光した所定の波長を含む光を受光する受光手段と、を含む分光センサと、
前記受光手段の第１画素の受光結果から生体信号を生成する生成手段と、
前記生体信号の周期を判定する判定手段と、
前記生体信号の各周期において前記生体信号の特徴量を検出する第１検出手段と、
前記受光手段の第２画素の受光結果から生体情報を検出する第２検出手段と、
前記生体信号を生成するための第１測定条件と、前記第２検出手段による前記生体情報の検出のための第２測定条件を決定する決定手段と、
前記生体信号の各周期において、前記第２検出手段による検出の終了タイミングを判定し、前記第１検出手段が前記特徴量を検出するまでは前記第１測定条件を前記分光センサに設定し、前記第１検出手段が前記特徴量を検出してから前記終了タイミングまでは前記第２測定条件を前記分光センサに設定する設定手段と、
を備えていることを特徴とする測定装置。
【請求項２】
前記設定手段は、前記生体信号の周期の終了時刻を当該周期より前の１つ以上の周期に基づき推定し、推定した前記終了時刻に基づき前記終了タイミングを決定することを特徴とする請求項１に記載の測定装置。
【請求項３】
前記設定手段は、前記生体信号の周期の変動量にさらに基づき前記終了時刻を推定することを特徴とする請求項２に記載の測定装置。
【請求項４】
前記設定手段は、推定した前記終了時刻より、前記第２測定条件から前記第１測定条件への変更に要する時間だけ早いタイミングを前記終了タイミングとすることを特徴とする請求項２又は３に記載の測定装置。
【請求項５】
前記判定手段は、前記生体信号の極値に基づき前記生体信号の周期を判定し、
前記設定手段は、推定した前記終了時刻より、前記第２測定条件から前記第１測定条件への変更に要する時間と前記判定手段が前記生体信号の極値を検出するために必要な所定の時間との和だけ早いタイミングを前記終了タイミングとすることを特徴とする請求項２又は３に記載の測定装置。
【請求項６】
前記設定手段は、前記第１検出手段が前記特徴量を検出すると前記第２測定条件に変更し、
前記第２検出手段は、前記第２測定条件に変更されると、前記第１測定条件から前記第２測定条件への変更に要する時間が経過してから前記終了タイミングまでの間、前記第２画素の受光結果に基づき前記生体情報を検出することをと特徴とする請求項１から５のいずれか１項に記載の測定装置。
【請求項７】
前記第２画素は、前記受光手段の複数の画素であり、
前記第２検出手段は、複数の前記第２画素の受光結果から複数種類の前記生体情報を検出し、
前記決定手段は、複数種類の前記生体情報それぞれの検出のための複数の前記第２測定条件を決定することを特徴とする請求項６に記載の測定装置。
【請求項８】
前記第２検出手段は、複数種類の前記生体情報それぞれを、複数の前記第２画素のうちの少なくとも１つの前記第２画素の受光結果から検出することを特徴とする請求項７に記載の測定装置。
【請求項９】
前記決定手段は、前記生体情報を検出するための前記第２測定条件を、当該生体情報の検出に使用する少なくとも１つの前記第２画素の受光量のピーク値に基づき決定することを特徴とする請求項８に記載の測定装置。
【請求項１０】
前記複数種類の生体情報の測定順序を示す情報を保持する保持手段をさらに備えており、
前記設定手段は、前記生体信号の各周期において、複数種類の前記生体情報のうちの１つの前記生体情報を前記測定順序に従い選択し、前記第１検出手段が前記特徴量を検出すると、選択した前記生体情報を検出するための前記第２測定条件に変更することを特徴とする請求項７又は８に記載の測定装置。
【請求項１１】
前記決定手段は、前記第１画素の受光量のピーク値に基づき前記第１測定条件を決定することを特徴とする請求項１から１０のいずれか１項に記載の測定装置。
【請求項１２】
前記第１測定条件及び前記第２測定条件は、前記光源の発光強度、前記受光手段の受光時間及び前記受光手段の受光感度の少なくとも１つを含むことを特徴とする請求項１から１１のいずれか１項に記載の測定装置。
【請求項１３】
前記生体信号は、脈波信号であることを特徴とする請求項１から１２のいずれか１項に記載の測定装置。
【請求項１４】
前記第１検出手段は、前記脈波信号を１回以上微分した信号の変化点の情報を前記特徴量とすることを特徴とする請求項１３に記載の測定装置。
【請求項１５】
前記第１検出手段は、前記脈波信号を２回、又は、４回微分した微分信号を求め、前記脈波信号の極値のタイミングから所定数の前記微分信号の極値を前記特徴量とすることを特徴とする請求項１３又は１４に記載の測定装置。
【請求項１６】
測定位置に向けて光を射出する光源と、前記測定位置にある生体からの反射光、又は、前記測定位置にある生体を透過した透過光を波長に応じて分光する分光手段と、複数の画素を有し、前記複数の画素の各画素は、前記分光手段が分光した所定の波長を含む光を受光する受光手段と、を含む分光センサと、
１つ以上のプロセッサーと、
を有する測定装置の前記１つ以上のプロセッサーで実行されると、
前記測定装置に、
第１測定条件を前記分光センサに設定することと、
前記第１測定条件が設定された状態で、前記受光手段の第１画素の受光結果から生体信号を生成することと、
前記生体信号の周期を判定することと、
前記生体信号の各周期において前記生体信号の特徴量を検出することと、
前記生体信号の各周期において、生体情報の検出の終了タイミングを判定することと、
前記生体信号の各周期において前記生体信号の特徴量を検出すると、第２測定条件を前記分光センサに設定することと、
前記第２測定条件が前記分光センサに設定されると、前記終了タイミングまで、前記受光手段の第２画素の受光結果から前記生体情報を検出することと、
を実行させることを特徴とするプログラム。
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
蓄電池を搭載する電動車両の充電口に接続されるコネクタを備え、前記コネクタを前記充電口に接続することにより、前記蓄電池に対する充放電を行う充放電装置であって、
前記充放電装置の操作前から個人が予め所有しており、かつ個人を特定するための個人特定情報を取得する情報取得部を備えることを特徴とする充放電装置。
【請求項２】
前記個人特定情報を登録する情報登録部と、
前記個人特定情報を登録した場合に、前記充電口に接続されたコネクタをロックするコネクタロック部と、を備えることを特徴とする請求項１に記載の充放電装置。
【請求項３】
前記情報取得部は、前記個人特定情報が記憶されたカードから、前記個人特定情報を取得することを特徴とする請求項１又は２に記載の充放電装置。
【請求項４】
前記情報取得部は、前記個人の生体情報を前記個人特定情報として取得することを特徴とする請求項１から３のいずれか１項に記載の充放電装置。
【請求項５】
前記情報取得部は、前記電動車両のリモコンキーに記憶された、当該リモコンキーを特定するための個体特定情報を、前記個人特定情報として取得することを特徴とする請求項１から４のいずれか１項に記載の充放電装置。
【請求項６】
前記情報取得部は、前記個人特定情報が記憶された携帯情報端末から、前記個人特定情報を取得することを特徴とする請求項１から５のいずれか１項に記載の充放電装置。
【請求項７】
前記情報登録部が登録した個人特定情報と、前記充放電を停止するときに前記情報取得部が取得した個人特定情報とが一致するか否かを判定する情報判定部を備え、
前記コネクタロック部は、前記情報判定部により２つの前記個人特定情報が一致すると判定された場合に、前記コネクタのロックを解除することを特徴とする請求項２に記載の充放電装置。
【請求項８】
前記コネクタロック部は、満充電となった場合に、前記コネクタのロックを解除することを特徴とする請求項２又は７に記載の充放電装置。
【請求項９】
蓄電池を搭載する電動車両の充電口に接続されるコネクタを備え、前記コネクタを前記充電口に接続することにより、前記蓄電池に対する充放電を行う充放電装置であって、
個人によるジェスチャ動作を、個人を特定するための個人特定情報として取得する情報取得部を備えることを特徴とする充放電装置。
【請求項１０】
蓄電池を搭載する電動車両の充電口に接続されるコネクタを備え、前記コネクタを前記充電口に接続することにより、前記蓄電池に対する充放電を行う充放電装置と通信可能に接続されるサーバであって、
前記充放電装置の操作前から個人が予め所有しており、かつ個人を特定するための個人特定情報を取得する情報取得部と、
前記個人特定情報に応じた指示を、前記充放電装置に送信する情報送信部と、を備えることを特徴とするサーバ。
【請求項１１】
前記個人特定情報を登録する情報登録部を備え、
前記情報送信部は、前記個人特定情報を登録した場合に、前記充電口に接続されたコネクタをロックさせるためのコネクタロック指示を前記充放電装置に送信することを特徴とする請求項１０に記載のサーバ。
【請求項１２】
前記情報登録部が登録した個人特定情報と、前記充放電を停止するときに前記情報取得部が取得した個人特定情報とが一致するか否かを判定する情報判定部を備え、
前記情報送信部は、前記情報判定部により２つの前記個人特定情報が一致すると判定された場合に、前記コネクタのロックを解除させるためのコネクタロック解除指示を、前記充放電装置に送信することを特徴とする請求項１１に記載のサーバ。
【手続補正書】
【提出日】令和2年11月27日(2020.11.27)
【手続補正１】
【補正対象書類名】明細書
【補正対象項目名】００３５
【補正方法】変更
【補正の内容】
【００３５】
図３（ｂ）に示すようにスイッチングパターン４は、＋０［Ｖ］の電圧を出力するためのスイッチングパターンである。スイッチングパターン４では、制御回路３０は、第３スイッチング素子Ｑ３、第４スイッチング素子Ｑ４、第７スイッチング素子Ｑ７、第８スイッチング素子Ｑ８、第９スイッチング素子Ｑ９、第１０スイッチング素子Ｑ１０、第１３スイッチング素子Ｑ１３、第１４スイッチング素子Ｑ１４、第１７スイッチング素子Ｑ１７、第１８スイッチング素子Ｑ１８、第２３スイッチング素子Ｑ２３及び第２４スイッチング素子Ｑ２４をオン状態、並びに第１スイッチング素子Ｑ１、第２スイッチング素子Ｑ２、第５スイッチング素子Ｑ５、第６スイッチング素子Ｑ６、第１１スイッチング素子Ｑ１１、第１２スイッチング素子Ｑ１２、第１５スイッチング素子Ｑ１５、第１６スイッチング素子Ｑ１６、第１９スイッチング素子Ｑ１９、第２０スイッチング素子Ｑ２０、第２１スイッチング素子Ｑ２１及び第２２スイッチング素子Ｑ２２をオフ状態に制御する。
【手続補正２】
【補正対象書類名】図面
【補正対象項目名】図６
【補正方法】変更
【補正の内容】
【図６】
2019170033.tif 000001
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
複数の表示を表示可能な表示手段と、
Ｖ領域を有し、該Ｖ領域に遊技球が入球し易い第１状態と入球し難い第２状態とに変化可能な可変入賞口と、
を備えた遊技機であって、
前記複数の表示の１つは、第一の表示であり、
前記第一の表示は、前記Ｖ領域への入球が可能な残り時間を示す第一態様表示のことであり、
前記複数の表示の１つは、第二の表示であり、
前記第二の表示は、前記Ｖ領域への入球が可能な残り時間を示す、前記第一態様表示と相違する第二態様表示のことであり、
前記可変入賞口が前記第１状態から前記第２状態に変化する所定時間前になっても、前記Ｖ領域に入球がない場合には、前記第一の表示と前記第二の表示が表示される、
ことを特徴とする遊技機。
【手続補正２】
【補正対象書類名】明細書
【補正対象項目名】０００８
【補正方法】変更
【補正の内容】
【０００８】
[適用例１]
複数の表示を表示可能な表示手段と、
Ｖ領域を有し、該Ｖ領域に遊技球が入球し易い第１状態と入球し難い第２状態とに変化可能な可変入賞口と、
を備えた遊技機であって、
前記複数の表示の１つは、第一の表示であり、
前記第一の表示は、前記Ｖ領域への入球が可能な残り時間を示す第一態様表示のことであり、
前記複数の表示の１つは、第二の表示であり、
前記第二の表示は、前記Ｖ領域への入球が可能な残り時間を示す、前記第一態様表示と相違する第二態様表示のことであり、
前記可変入賞口が前記第１状態から前記第２状態に変化する所定時間前になっても、前記Ｖ領域に入球がない場合には、前記第一の表示と前記第二の表示が表示される、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段を備えた遊技機であって、
前記複数種類の画像のうちの一つは、第１の画像であり、
前記複数種類の画像のうちの一つは、第２の画像であり、
前記複数種類の画像のうちの一つは、保留数を表す第３の画像であり、
前記表示手段に前記第１の画像と前記第２の画像が表示され、前記第１の画像が前記第２の画像上を第１の方向に移動する演出を実行可能であり、
前記第２の画像上に前記第３の画像の全体が表示される保留数表示演出を実行可能であり、
前記保留数表示演出の実行中に、前記第１の画像が前記第１の方向への移動によって前記第２の画像上の前記第３の画像と重なるとき、前記第３の画像が前記第１の画像の前面側に表示される、
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段を備えた遊技機であって、
前記複数種類の画像のうちの一つは、第１の画像であり、
前記複数種類の画像のうちの一つは、第２の画像であり、
前記複数種類の画像のうちの一つは、保留数を表す第３の画像であり、
前記表示手段に前記第１の画像と前記第２の画像が表示され、前記第１の画像が前記第２の画像上を第１の方向に移動する演出を実行可能であり、
前記第２の画像上に前記第３の画像の全体が表示される保留数表示演出を実行可能であり、
前記保留数表示演出の実行中に、前記第１の画像が前記第１の方向への移動によって前記第２の画像上の前記第３の画像と重なるとき、前記第３の画像が前記第１の画像の前面側に表示される、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
複数種類の画像を表示可能な表示手段を備えた遊技機であって、
前記複数種類の画像のうちの一つは、第１の画像であり、
前記複数種類の画像のうちの一つは、第２の画像であり、
前記複数種類の画像のうちの一つは、第３の画像であり、
前記複数種類の画像のうちの一つは、第４の画像であり、
前記表示手段において、前記第１の画像と前記第２の画像が表示され、前記第３の画像が表示されていない状態で、前記第１の画像が前記第２の画像上を移動する第１の演出と、
前記第１の演出の後、前記第２の画像が表示を維持した状態で、前記第２の画像上に前記第３の画像が表示されていない状態から、新たに表示される第２の演出と、
前記第２の演出の後、前記第３の画像が表示を維持した状態で、前記第４の画像が表示されていない状態から、新たに表示される第３の演出と、
前記第３の演出の後、前記第４の画像が表示を維持した状態で、前記第３の画像の色が変化する第４の演出と、
前記第４の演出の後、前記第１の画像の移動によって、前記第１の画像が前記第３の画像と接触し、前記第１の画像の色が変化する第５の演出と、を実行可能な、
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な表示手段を備えた遊技機であって、
前記複数種類の画像のうちの一つは、第１の画像であり、
前記複数種類の画像のうちの一つは、第２の画像であり、
前記複数種類の画像のうちの一つは、第３の画像であり、
前記複数種類の画像のうちの一つは、第４の画像であり、
前記表示手段において、前記第１の画像と前記第２の画像が表示され、前記第３の画像が表示されていない状態で、前記第１の画像が前記第２の画像上を移動する第１の演出と、
前記第１の演出の後、前記第２の画像が表示を維持した状態で、前記第２の画像上に前記第３の画像が表示されていない状態から、新たに表示される第２の演出と、
前記第２の演出の後、前記第３の画像が表示を維持した状態で、前記第４の画像が表示されていない状態から、新たに表示される第３の演出と、
前記第３の演出の後、前記第４の画像が表示を維持した状態で、前記第３の画像の色が変化する第４の演出と、
前記第４の演出の後、前記第１の画像の移動によって、前記第１の画像が前記第３の画像と接触し、前記第１の画像の色が変化する第５の演出と、を実行可能な、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
複数種類の表示演出を実行可能な表示手段と複数の保留を記憶可能な保留記憶手段とを備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記第１の表示演出は、前記保留記憶手段に記憶された保留内に大当たりがあるか無いかを表す演出であって前記保留記憶手段に記憶された保留内に大当たりが無いことを１度の表示でまとめて示唆する第１の示唆表示をおこなう演出であり、
前記第２の表示演出は、前記第１の表示演出の後におこなわれ、遊技結果情報を表示する演出であり、
前記第３の表示演出は、前記第２の表示演出の後におこなわれ、前記保留記憶手段に記憶された保留内に大当たりがあるか無いかを表す演出とは異なる演出であって前記保留記憶手段に記憶された保留内に大当たりがあることを１度の表示でまとめて示唆する第２の示唆表示をおこなう演出であり、
前記第１の表示演出と前記第２の表示演出と前記第３の表示演出は、同一変動であって大当たりとはならない特定の変動において、前記保留記憶手段に記憶された保留内に大当たりがあるときにおこなわれる、
ことを特徴とする遊技機。
【手続補正２】
【補正対象書類名】明細書
【補正対象項目名】０００８
【補正方法】変更
【補正の内容】
【０００８】
[適用例１]
複数種類の表示演出を実行可能な表示手段と複数の保留を記憶可能な保留記憶手段とを備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記第１の表示演出は、前記保留記憶手段に記憶された保留内に大当たりがあるか無いかを表す演出であって前記保留記憶手段に記憶された保留内に大当たりが無いことを１度の表示でまとめて示唆する第１の示唆表示をおこなう演出であり、
前記第２の表示演出は、前記第１の表示演出の後におこなわれ、遊技結果情報を表示する演出であり、
前記第３の表示演出は、前記第２の表示演出の後におこなわれ、前記保留記憶手段に記憶された保留内に大当たりがあるか無いかを表す演出とは異なる演出であって前記保留記憶手段に記憶された保留内に大当たりがあることを１度の表示でまとめて示唆する第２の示唆表示をおこなう演出であり、
前記第１の表示演出と前記第２の表示演出と前記第３の表示演出は、同一変動であって大当たりとはならない特定の変動において、前記保留記憶手段に記憶された保留内に大当たりがあるときにおこなわれる、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
複数の表示演出を実行可能な表示手段と複数の保留を記憶可能な保留記憶手段と遊技者が操作可能な操作手段とを備える遊技機であって、
前記複数の表示演出のうちの一つの演出として、第１の表示演出をおこなう場合があり、
前記複数の表示演出のうちの一つの演出として、第２の表示演出をおこなう場合があり、
前記第１の表示演出は、前記保留記憶手段に記憶された保留内に大当たりが無いことを１度の表示でまとめて示唆する第１の示唆表示をおこなう演出であり、
前記第２の表示演出は、前記保留記憶手段に記憶された保留内に大当たりがあることを１度の表示でまとめて示唆する第２の示唆表示をおこなう演出であり、
前記第１の表示演出の前記第１の示唆表示は、前記操作手段を表す操作手段画像を用いた表示であり、
前記第２の表示演出の前記第２の示唆表示は、前記操作手段画像を用いない表示であり、
前記第１の表示演出と前記第２の表示演出は、同一変動であって大当たりとはならない特定の変動において、前記保留記憶手段に記憶された保留内に大当たりがあるときにおこなわれる、
ことを特徴とする遊技機。
【手続補正２】
【補正対象書類名】明細書
【補正対象項目名】０００８
【補正方法】変更
【補正の内容】
【０００８】
[適用例１]
複数の表示演出を実行可能な表示手段と複数の保留を記憶可能な保留記憶手段と遊技者が操作可能な操作手段とを備える遊技機であって、
前記複数の表示演出のうちの一つの演出として、第１の表示演出をおこなう場合があり、
前記複数の表示演出のうちの一つの演出として、第２の表示演出をおこなう場合があり、
前記第１の表示演出は、前記保留記憶手段に記憶された保留内に大当たりが無いことを１度の表示でまとめて示唆する第１の示唆表示をおこなう演出であり、
前記第２の表示演出は、前記保留記憶手段に記憶された保留内に大当たりがあることを１度の表示でまとめて示唆する第２の示唆表示をおこなう演出であり、
前記第１の表示演出の前記第１の示唆表示は、前記操作手段を表す操作手段画像を用いた表示であり、
前記第２の表示演出の前記第２の示唆表示は、前記操作手段画像を用いない表示であり、
前記第１の表示演出と前記第２の表示演出は、同一変動であって大当たりとはならない特定の変動において、前記保留記憶手段に記憶された保留内に大当たりがあるときにおこなわれる、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
複数種類の表示演出を実行可能な表示手段を備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記複数の表示演出のうちの一つの演出として、第４の表示演出をおこなう場合があり、
前記複数の表示演出のうちの一つの演出として、第５の表示演出をおこなう場合があり、
前記第１の表示演出は、第１の装飾図柄を変動させる演出を行う演出であり、
前記第２の表示演出は、前記第１の装飾図柄よりも小さい第２の装飾図柄を変動させる演出であり、
前記第３の表示演出は、前記第２の装飾図柄を大当たり図柄配列とした状態でスクロールさせる全回転演出を行う演出であり、
前記第４の表示演出は、前記第１の装飾図柄を大当たり図柄配列とした状態でスクロールさせる全回転演出を行う演出であり、
前記第５の表示演出は、前記第１の装飾図柄を用いて、リーチ状態を形成する演出であり、
前記第１の表示演出と前記第２の表示演出と前記第３の表示演出と前記第４の表示演出と前記第５の表示演出とを含む組み合わせ演出がおこなわれる場合があり、
前記組み合わせ演出では、前記第１の表示演出と、前記第２の表示演出とがおこなわれた後、前記第５の表示演出がおこなわれ、その後、前記第３の表示演出がおこなわれ、前記第３の表示演出中に前記第４の表示演出がおこなわれる、
ことを特徴とする遊技機。
【手続補正２】
【補正対象書類名】明細書
【補正対象項目名】０００８
【補正方法】変更
【補正の内容】
【０００８】
[適用例１]
複数種類の表示演出を実行可能な表示手段を備える遊技機であって、
前記複数の表示演出のうちの一つの演出として、第１の表示演出をおこなう場合があり、
前記複数の表示演出のうちの一つの演出として、第２の表示演出をおこなう場合があり、
前記複数の表示演出のうちの一つの演出として、第３の表示演出をおこなう場合があり、
前記複数の表示演出のうちの一つの演出として、第４の表示演出をおこなう場合があり、
前記複数の表示演出のうちの一つの演出として、第５の表示演出をおこなう場合があり、
前記第１の表示演出は、第１の装飾図柄を変動させる演出を行う演出であり、
前記第２の表示演出は、前記第１の装飾図柄よりも小さい第２の装飾図柄を変動させる演出であり、
前記第３の表示演出は、前記第２の装飾図柄を大当たり図柄配列とした状態でスクロールさせる全回転演出を行う演出であり、
前記第４の表示演出は、前記第１の装飾図柄を大当たり図柄配列とした状態でスクロールさせる全回転演出を行う演出であり、
前記第５の表示演出は、前記第１の装飾図柄を用いて、リーチ状態を形成する演出であり、
前記第１の表示演出と前記第２の表示演出と前記第３の表示演出と前記第４の表示演出と前記第５の表示演出とを含む組み合わせ演出がおこなわれる場合があり、
前記組み合わせ演出では、前記第１の表示演出と、前記第２の表示演出とがおこなわれた後、前記第５の表示演出がおこなわれ、その後、前記第３の表示演出がおこなわれ、前記第３の表示演出中に前記第４の表示演出がおこなわれる、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
複数の演出を実行可能な演出手段と、
複数の表示を表示可能な表示手段と、
を備えた遊技機であって、
前記複数の表示の１つは、第一の表示であり、
前記第一の表示は、右打ちを指示する矢印であり
前記複数の演出の１つは、第一の演出であり、
前記第一の演出は、前記右打ちにより保留数が最大になったときに、該保留数が最大になった旨を前記第一の表示の表示領域上に表示する第１メッセージの表示であり、
前記複数の演出の１つは、第二の演出であり、
前記第二の演出は、前記保留数が最大になったときに、該保留数が最大になった旨を前記第一の表示の表示領域外に表示する第２メッセージの表示である、
ことを特徴とする遊技機。
【手続補正２】
【補正対象書類名】明細書
【補正対象項目名】０００８
【補正方法】変更
【補正の内容】
【０００８】
[適用例１]
複数の演出を実行可能な演出手段と、
複数の表示を表示可能な表示手段と、
を備えた遊技機であって、
前記複数の表示の１つは、第一の表示であり、
前記第一の表示は、右打ちを指示する矢印であり
前記複数の演出の１つは、第一の演出であり、
前記第一の演出は、前記右打ちにより保留数が最大になったときに、該保留数が最大になった旨を前記第一の表示の表示領域上に表示する第１メッセージの表示であり、
前記複数の演出の１つは、第二の演出であり、
前記第二の演出は、前記保留数が最大になったときに、該保留数が最大になった旨を前記第一の表示の表示領域外に表示する第２メッセージの表示である、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
表示手段と複数の保留を記憶可能な保留記憶手段と可動可能な可動部材とを 備え、複数の演出を実行可能な遊技機であって、
前記複数の演出のうちの一つの演出として、第１の演出をおこなう場合があ り、
前記複数の演出のうちの一つの演出として、第２の演出をおこなう場合があ り、
前記第１の演出は、前記表示手段において前記保留記憶手段に記憶された保 留内に大当たりが無いことを１度の表示でまとめて示唆する第１の示唆をお こなう演出であり、
前記第２の演出は、前記表示手段において前記保留記憶手段に記憶された保 留内に大当たりがあることを１度の表示でまとめて示唆する第２の示唆をお こなう演出であり、
前記第２の演出は、前記表示手段に加えて前記可動部材を用いて前記第２の 示唆をおこなう演出であり、
前記第１の演出は、前記可動部材を用いない演出であり、
前記第１の演出と前記第２の演出は、同一変動であって大当たりとはならな い特定の変動において、前記保留記憶手段に記憶された保留内に大当たりが あるときにおこなわれる、
ことを特徴とする遊技機。
【手続補正２】
【補正対象書類名】明細書
【補正対象項目名】０００８
【補正方法】変更
【補正の内容】
【０００８】
[適用例１]
表示手段と複数の保留を記憶可能な保留記憶手段と可動可能な可動部材とを 備え、複数の演出を実行可能な遊技機であって、
前記複数の演出のうちの一つの演出として、第１の演出をおこなう場合があ り、
前記複数の演出のうちの一つの演出として、第２の演出をおこなう場合があ り、
前記第１の演出は、前記表示手段において前記保留記憶手段に記憶された保 留内に大当たりが無いことを１度の表示でまとめて示唆する第１の示唆をお こなう演出であり、
前記第２の演出は、前記表示手段において前記保留記憶手段に記憶された保 留内に大当たりがあることを１度の表示でまとめて示唆する第２の示唆をお こなう演出であり、
前記第２の演出は、前記表示手段に加えて前記可動部材を用いて前記第２の 示唆をおこなう演出であり、
前記第１の演出は、前記可動部材を用いない演出であり、
前記第１の演出と前記第２の演出は、同一変動であって大当たりとはならな い特定の変動において、前記保留記憶手段に記憶された保留内に大当たりが あるときにおこなわれる、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
複数の表示を表示可能な表示手段を備えた遊技機であって、
前記複数の表示の１つは、第一の表示であり、
前記複数の表示の１つは、第二の表示であり、
前記第一の表示は、右打ちを促す表示のことであり、
前記第二の表示は、保留の発生を促す表示のことであり、
前記第二の表示は、第二Ａ表示と第二Ｂ表示とがあり、
前記第二Ａ表示を表示した後、該第二Ａ表示に切り替わって前記第一の表示と、該第一の表示上に前記第二Ｂ表示とが表示され、
前記第二Ａ表示は、前記第二Ｂ表示よりも大きく表示され、
前記第二Ｂ表示の内容は音声により発音し得る、
ことを特徴とする遊技機。
【手続補正２】
【補正対象書類名】明細書
【補正対象項目名】０００８
【補正方法】変更
【補正の内容】
【０００８】
[適用例１]
複数の表示を表示可能な表示手段を備えた遊技機であって、
前記複数の表示の１つは、第一の表示であり、
前記複数の表示の１つは、第二の表示であり、
前記第一の表示は、右打ちを促す表示のことであり、
前記第二の表示は、保留の発生を促す表示のことであり、
前記第二の表示は、第二Ａ表示と第二Ｂ表示とがあり、
前記第二Ａ表示を表示した後、該第二Ａ表示に切り替わって前記第一の表示と、該第一の表示上に前記第二Ｂ表示とが表示され、
前記第二Ａ表示は、前記第二Ｂ表示よりも大きく表示され、
前記第二Ｂ表示の内容は音声により発音し得る、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】